(57)【特許請求の範囲】
【請求項１】
揚送塔内部に対向して配設されたパチンコ玉払拭手段ならびにパチンコ玉搬送手段を備えたパチンコ玉研磨搬送装置であって、
前記パチンコ玉払拭手段は、前記パチンコ玉搬送手段によって上方に搬送されるパチンコ玉を誘導するガイド溝を備えたガイドプレートと、
該ガイドプレートと前記パチンコ玉搬送手段の間に張設される研磨布と、
前記ガイドプレートに隣接して配置され、前記ガイド溝に連なるパチンコ玉誘導用の凹溝を備えるとともに前記パチンコ玉搬送手段に向けて所定角度回転しながら前進して前記研磨布を前記パチンコ玉搬送手段のパチンコ玉搬送面に押し付ける押圧部材と
を有することを特徴とするパチンコ玉研磨搬送装置。
【請求項２】
前記押圧部材は、前記ガイドプレートを２分割する際に切りだされた前記ガイドプレートの一部を用いて形成したものである
ことを特徴とする請求項1項記載のパチンコ玉研磨搬送装置。
【請求項３】
前記押圧部材と前記ガイドプレートの離間間隔を、前記ガイドプレートに凹設された前記ガイド溝と前記押圧部材の前端面に形成された前記凹溝との間をパチンコ玉が容易に通過できる間隔に設定した
ことを特徴とする請求項1項または２項に記載のパチンコ玉研磨搬送装置。
【請求項４】
前記押圧部材の回転角度は、前記前端面の前記凹溝に隣接して形成された山部分の上流端から下流端に至る範囲の一部を、前記凹溝に近接する前記ガイド溝を遮断する範囲に設定した
ことを特徴とする請求項1項〜３項のいずれかに記載のパチンコ玉研磨搬送装置。
【請求項５】
前記押圧部材は、前記ガイドプレートが上下に分離分割された部分に配置されると共に、前記押圧部材の操作部材が設けられ、
前記パチンコ玉払拭手段は、上下に延在し前記ガイドプレートが内部に配設される収納ケースと、前記収納ケースの外壁に配設され前記研磨布がロール状態で装着された装着機構と、前記収納ケースの外壁に前記装着機構と上下方向に間隔をおいて配設され前記研磨布を巻き取る巻取機構とを備え、
前記操作部材は、前記装着機構と前記巻取機構との間の前記収納ケースの部分である離間部に突設されたシリンダーと、該シリンダーの外周に形成されたスライド溝と、前記シリンダー内に遊嵌され、先端を前記押圧部材の背面に固定したピストンと、該シリンダーとピストンの間に巻装されたスプリングと、前記スライド溝に嵌合し、ピストンに固定されたガイドピンとを備え、前記ピストンを押し込むことにより、該ピストンを一定角度回転前進させた
ことを特徴とする請求項1項〜４項のいずれかに記載のパチンコ玉研磨搬送装置。
【請求項６】
前記スライド溝に、ピストンの回転を行なう回転ガイド部とピストンを直線方向に往復動させる直線ガイド部を形成した
ことを特徴とする請求項５記載のパチンコ玉研磨搬送装置。
【請求項７】
前記スライド溝を、前記ピストンを回転させながら前後方向に往復動させる傾斜ガイド溝とした
ことを特徴とする請求項５記載のパチンコ玉研磨搬送装置。
【発明の詳細な説明】
【技術分野】
【０００１】
本発明は、研磨布と搬送ベルトの間でパチンコ玉を研磨しながら搬送するパチンコ玉研磨搬送装置、とくに、搬送ベルトのパチンコ玉搬送面を払拭するベルト払拭機構を備えたパチンコ玉研磨搬送装置に関する。
【背景技術】
【０００２】
一般にパチンコ玉を研磨しながら搬送するパチンコ玉研磨搬送装置、例えば、特開２００３−１５４１４６号公報（特許文献１）の「パチンコ玉研磨装置」に開示されている発明には、搬送ベルト２１と、ガイド溝１１を形成した研磨ガイド９と、当該ガイド面上に装着した研磨材１３とを備えていて、該ガイド溝１１が受け入れたパチンコ玉を、ガイド溝１１の溝底と搬送ベルト２１とにより押圧しながら搬送研磨するパチンコ玉研磨装置１が開示されている。更に、前記搬送ベルト２１の搬送面側の少なくとも一部には、着脱手段１９を介してカバーシート２５を取り付けられている。そして、このカバーシート２５によって、搬送ベルト２１に付着するパチンコ玉の汚れを払拭している。そして、これらの構成による作用効果として、カバーシート２５に付着したパチンコ玉の汚れは、これを外して綺麗なものと取り替えるだけで、パチンコ玉の汚れ払拭効果を復元することができ、遊技場作業員の労力を軽減することができる。しかも、このカバーシート２５を設けることにより、搬送ベルト２１の表面を常に綺麗に保つことができるので、パチンコ玉の研磨効率を高く保つことができると記載されている。
【０００３】
しかしながら、上述した従来技術は、周回する搬送ベルト２１に別の部材であるカバーシート２５を取り付け、このカバーシート２５にも研磨材１３と同様にパチンコ玉の汚れを払拭する機能を持たせたものである。このため、このカバーシート２５は、搬送ベルト２１の周回に伴って常時、パチンコ玉を磨いている。従って、カバーシート２５自体の磨耗も激しくなり、度々の交換が必要となり、その都度、搬送ベルト２１の周回を停止しなければならなかった。このため、装置の稼働率が低下する恐れがあるばかりか、この交換に要する工数と費用が増加すると言う問題点があった。
【０００４】
これらの問題点を解決するために、出願人は、先の出願（特願２００８−２２４６７）で、研磨布を直接搬送ベルトに押圧して、搬送ベルトの表面に付着した汚れを払拭する構成を提案した。この出願の構成は、パチンコ玉研磨搬送装置のケースカバー外面に離間して配設されている巻取機構と装着機構との間にベルト払拭機構を配設して、該ベルト払拭機構に設けた押し出し部材を該ケースカバーとガイドプレートを貫通させ、ケースカバーの内部に押し出し、該押し出し部材で研磨布を搬送ベルトのパチンコ玉搬送面に圧接させている。この提案により、従来技術が有するパチンコ玉の払拭により、汚れたり、磨耗したりしたカバーシート２５の交換による装置の停止による稼働率の低下、工数と費用の増加と言う問題点を解消させている。
【０００５】
しかしながら、先の出願で提案したベルト払拭機構の押圧部材の圧接面には、カバープレートと同様の縦溝が形成されていない。本来、パチンコ玉の揚送をスムースに行なうためには、縦溝を形成するのが望ましいが、圧接面に縦溝を形成すると押圧部材を搬送ベルトに圧接したときに、その縦溝の部分が搬送ベルトの表面に接触しなくなり、払拭残しが生じてしまう。出願人は、そのような事態が生じないように配慮して、前述したように、押圧部材の圧接面を平坦状に形成していた。このために、ガイドプレートに形成された縦溝にガイドされて揚送されてきたパチンコ玉は、一旦、縦溝による整列状態が押圧部材の圧接面で途切れる状態となる。この場合、押圧部材を備えた押し出し部材がパチンコ玉研磨搬送装置の上流側（パチンコ玉の取り入れ側）に配設されているときには、特段、パチンコ玉の搬送に支障は生じないが、押し出し部材の配設位置をパチンコ玉研磨搬送装置の下流端（パチンコ玉の排出側）に近い位置にしたり、搬送ベルトの払拭効果を増そうとして、押圧面の面積を増加（即ち、平坦面の上下方向の幅を広く）させたりした時に、上流側のガイドプレートの縦溝でガイドされ揚送されてきたパチンコ玉が、押圧部材の圧接面で、その整列状態が乱れ、下流側のガイドプレートの縦溝にスムースに取り込まれない恐れがあり、ひいてはそれがパチンコ玉研磨搬送装置の玉詰まりの要因となる恐れがあった。
【０００６】
【特許文献１】特開２００３−１５４１４６号公報
【発明の開示】
【発明が解決しようとする課題】
【０００７】
本発明は、上述した従来技術における問題点を解決するためになされた出願人の発明を発展させ、更に有効な効果を有する発明へと成しえたものである。即ち、本発明のパチンコ玉研磨搬送装置は、揚送塔内部に対向して配設されたパチンコ玉払拭手段ならびにパチンコ玉搬送手段を備えたパチンコ玉研磨搬送装置であって、前記パチンコ玉払拭手段は、前記パチンコ玉搬送手段によって上方に搬送されるパチンコ玉を誘導するガイド溝を備えたガイドプレートと該ガイドプレートと前記パチンコ玉搬送手段の間に張設される研磨布と、前記ガイドプレートに隣接して配置され、前記ガイド溝に連なるパチンコ玉誘導用の凹溝を備えるとともに前記パチンコ玉搬送手段に向けて所定角度回転しながら前進して前記研磨布を前記パチンコ玉搬送手段のパチンコ玉搬送面に押し付ける押圧部材とを有することにより、搬送ベルトの払拭に、既存のパチンコ玉を払拭するための研磨布を使用することによって、搬送ベルトの汚れを払拭するために特別な部材を設けることなく、搬送ベルトに付着した汚れを、安価で効率的に払拭することができる。しかも、その払拭作業は、閉店時の装置停止時に併せて実施される。即ち、パチンコ玉研磨搬送装置の研磨布の交換（払拭面の入れ替え）の直前に搬送ベルトの払拭が行なわれる。このことにより、搬送ベルトの汚れを払拭するために搬送ベルトの周回を稼動途中で停止させることによる稼働率の低下が生じる恐れは少ない。また、研磨布自体に何らの加工も施すことがないので、研磨布のパチンコ玉の払拭面積を減少させることもない。更に、パチンコ玉の搬送時にパチンコ玉がガイドプレートの途中で整列状態が乱れ、下流側のガイドプレートのガイド溝に取り込まれなくなるようなこともなく、パチンコ玉の搬送もスムースに行なわれる。このため、パチンコ玉研磨搬送装置への押圧部材の配設位置の自由度も増すという、より改良された効果を奏するパチンコ玉研磨搬送装置を提供することを目的とする。
【課題を解決するための手段】
【０００８】
上述した従来技術の問題点を解決するとともに出願人が提案した先願の発明を、更に発展させるために、本発明は、揚送塔内部に対向して配設されたパチンコ玉払拭手段ならびにパチンコ玉搬送手段を備えたパチンコ玉研磨搬送装置であって、前記パチンコ玉払拭手段は、前記パチンコ玉搬送手段によって上方に搬送されるパチンコ玉を誘導するガイド溝を備えたガイドプレートと該ガイドプレートと前記パチンコ玉搬送手段の間に張設される研磨布と、前記ガイドプレートに隣接して配置され、前記ガイド溝に連なるパチンコ玉誘導用の凹溝を備えるとともに前記パチンコ玉搬送手段に向けて所定角度回転しながら前進して前記研磨布を前記パチンコ玉搬送手段のパチンコ玉搬送面に押し付ける押圧部材とを有するものである。
【０００９】
上記のように構成することにより、搬送ベルトの払拭に、既存のパチンコ玉を払拭するための研磨布を使用することによって、搬送ベルトの汚れを払拭するために特別な部材を設けることなく、搬送ベルトに付着した汚れを、安価で効率的に払拭することができる。しかも、その払拭作業は、閉店時の装置停止時に併せて実施される、即ち、パチンコ玉研磨搬送装置の研磨布の交換（払拭面の入れ替え）の直前に搬送ベルトの払拭が行なわれる。このことにより、搬送ベルトの汚れを払拭するために搬送ベルトの周回を稼動途中で停止させることによる稼働率の低下が生じる恐れは少ない。また、研磨布自体に何らの加工も施すことがないので、研磨布のパチンコ玉の払拭面積を減少させることもない。更に、パチンコ玉の搬送時にパチンコ玉がガイドプレートの途中で整列状態が乱れ、下流側のガイドプレートのガイド溝に取り込まれなくなるようなこともなく、パチンコ玉の搬送もスムースに行なわれる。このため、パチンコ玉研磨搬送装置への押圧部材の配設位置の自由度も増す。
【００１０】
次の発明は、前記押圧部材は、前記ガイドプレートを２分割する際に切りだされた前記ガイドプレートの一部を用いて形成したものである
【００１１】
上記のように構成することにより、別に部品を加工することなく、極めて簡単に押圧部材を製作することができ、しかも、ガイド溝の連続性（ガイド溝と溝の横方向のずれ）が維持され、パチンコ玉の搬送を阻害する恐れは少ない。
【００１２】
次の発明は、前記押圧部材と前記ガイドプレートの離間間隔を、前記ガイドプレートに凹設された前記ガイド溝と前記押圧部材の前端面に形成された前記凹溝との間をパチンコ玉が容易に通過できる間隔に設定したものである。
【００１３】
上記のように構成することにより、パチンコ玉が押圧部材とガイドプレートの間に形成された隙間に嵌って、揚送が阻害されるような恐れは少ない。
【００１４】
次の発明は、前記押圧部材の回転角度は、前記前端面の前記凹溝に隣接して形成された山部分の上流端から下流端に至る範囲の一部を、前記凹溝に近接する前記ガイド溝を遮断する範囲に設定したものである。
【００１５】
上記のように構成することにより、押圧部材の回転に伴って、前端面に形成された山部分（実際は、この山部分の上面が押圧面となる。）が傾斜し、押圧部材を搬送ベルトに圧接した時に、山部分の上流端から下流端に至る範囲の一部が必ず溝の拭き残し部分（溝の凹部）を遮断するようになり、搬送ベルト上に溝の拭き残し部分（溝の凹部による）が発生するのを防止している。
【００１６】
次の発明は、前記押圧部材は、前記ガイドプレートが上下に分離分割された部分に配置されると共に、前記押圧部材の操作部材が設けられ、前記パチンコ玉払拭手段は、上下に延在し前記ガイドプレートが内部に配設される収納ケースと、前記収納ケースの外壁に配設され前記研磨布がロール状態で装着された装着機構と、前記収納ケースの外壁に前記装着機構と上下方向に間隔をおいて配設され前記研磨布を巻き取る巻取機構とを備え、前記操作部材は、前記装着機構と前記巻取機構との間の前記収納ケースの部分である離間部に突設されたシリンダーと、該シリンダーの外周に形成されたスライド溝と、前記シリンダー内に遊嵌され、先端を前記押圧部材の背面に固定したピストンと、該シリンダーとピストンの間に巻装されたスプリングと、前記スライド溝に嵌合し、ピストンに固定されたガイドピンとを備え、前記ピストンを押し込むことにより、該ピストンを一定角度回転前進させたものである。
【００１７】
上記のように構成することにより、操作部材の一連の押し出し操作により、溝の拭き残し部分を解消させるための山部分を傾斜させる操作と、押圧部材によって研磨布をパチンコ玉搬送手段（搬送ベルト）に押圧させる操作とを連続して行なうことができ、しかも研磨布によるパチンコ玉搬送手段の払拭が完了した時点で、押し出し操作状態を解除すると操作部材は、スプリングの復元力により元の位置に自動的に復帰するものである。
【００１８】
次の発明は、スライド溝に、ピストンの回転をガイドする回転ガイド部とピストンを直線方向にガイドする直線ガイド部を形成したものである。
【００１９】
上記のように構成することにより、操作部材を押し出す操作をして、押圧部材を一定角度回転させた後に、直線的に研磨布を搬送ベルトに押圧するために、研磨布をパチンコ玉搬送手段（搬送ベルト）に均等に押圧することができ、払拭残しやムラが生じることがない。
【００２０】
次の発明は、前記スライド溝を、前記ピストンを回転させながら前後方向に往復動させる傾斜ガイド溝としたものである。
【００２１】
上記のように構成することにより、操作部材を押し出し操作によって、ピストンの回転と前後方向の移動が連続的に行なわれるので操作時間を短縮することができる。
【発明の効果】
【００２２】
本発明のパチンコ玉研磨搬送装置は、揚送塔内部に対向して配設されたパチンコ玉払拭手段ならびにパチンコ玉搬送手段を備えたパチンコ玉研磨搬送装置であって、前記パチンコ玉払拭手段は、前記パチンコ玉搬送手段によって上方に搬送されるパチンコ玉を誘導するガイド溝を備えたガイドプレートと該ガイドプレートと前記パチンコ玉搬送手段の間に張設される研磨布と、前記ガイドプレートに隣接して配置され、前記ガイド溝に連なるパチンコ玉誘導用の凹溝を備えるとともに前記パチンコ玉搬送手段に向けて所定角度回転しながら前進して前記研磨布を前記パチンコ玉搬送手段のパチンコ玉搬送面に押し付ける押圧部材とを有することにより、搬送ベルトの払拭に、既存のパチンコ玉を払拭するための研磨布を使用することによって、搬送ベルトの汚れを払拭するために特別な部材を設けることなく、搬送ベルトに付着した汚れを、安価で効率的に払拭することができる。しかも、その払拭作業は、閉店時の装置停止時に併せて実施される、即ち、パチンコ玉研磨搬送装置の研磨布の交換（払拭面の入れ替え）の直前に搬送ベルトの払拭が行なわれる。このことにより、搬送ベルトの汚れを払拭するために搬送ベルトの周回を稼動途中で停止させることによる稼働率の低下が生じる恐れは少ない。また、研磨布自体に何らの加工も施すことがないので、研磨布のパチンコ玉の払拭面積を減少させることもない。更に、パチンコ玉の搬送時にパチンコ玉がガイドプレートの途中で整列状態が乱れ、下流側のガイドプレートのガイド溝に取り込まれなくなるようなこともなく、パチンコ玉の搬送もスムースに行なわれる。このため、パチンコ玉研磨搬送装置への押圧部材の配設位置の自由度も増すという、より改良された効果を奏するものである。
【発明を実施するための最良の形態】
【００２３】
図１は、本発明のパチンコ玉研磨搬送装置であるパチンコ玉研磨揚送装置を示した概略斜視図、図２は、図１の要部斜視図、図３は、ベルト払拭機構を示した斜視図、図４は、押圧部材の回転範囲を示した説明図、図５は、ベルト払拭機構のシリンダーを示した斜視図、図６は、シリンダーの他の実施例を示した斜視図である。
【００２４】
本発明のパチンコ玉研磨搬送装置、例えば、図１に示すような、パチンコ玉研磨揚送装置１００は、パチンコ島（図示しない）の端部や中央部に配設され、パチンコ島（図示しない）の下部に回収されたパチンコ玉Ｐをパチンコ島（図示しない）の上部に配設された上部タンク（図示しない）に研磨しながら揚送する装置である。このパチンコ玉研磨揚送装置１００は、床などに固定されているベース（図示しない）に載置されたベースプレート１と、該ベースプレート１上に立設された揚送塔２とを備えている。
【００２５】
ベースプレート１は、矩形状の金属平板で形成され、アンカーボルト（図示しない）など任意な固定部材でホール床面などに固定されているベース（図示しない）上に載置される。
【００２６】
揚送塔２は、その内部にパチンコ玉払拭手段３とパチンコ玉搬送手段７を対向して配設している。即ち、パチンコ玉払拭手段３の収納ケース３１とパチンコ玉搬送手段７の搬送ケース７１を対向配置し、その一側辺をヒンジ（図示しない）などで枢着するとともに他側辺側に止め具（図示しない）を設け、ヒンジ（図示しない）を中心として開放可能に組み付けられている。そして、収納ケース３１を搬送ケース７１に対して開放することによって、内部に張設されている研磨布４やガイドプレート５などの部品の交換を実施する。
【００２７】
パチンコ玉払拭手段３は、断面コ字形状（図２参照）で縦長形状を成している収納ケース３１と、該収納ケース３１の外壁３２の下方部分に離間して配設された研磨布４の装着機構３３ならびに巻取機構３４と、収納ケース３１の断面コ字形状の内部に配設された研磨布４ならびにガイドプレート５およびベルト払拭機構６とで構成されている。
【００２８】
パチンコ玉払拭手段３の収納ケース３１は、パチンコ玉搬送手段７側を開放した断面コ字形状（図２参照）の縦長形状を成し、パチンコ玉搬送手段７の搬送ケース７１に対向して、開閉可能に配設されている。この収納ケース３１の上下端には、各々反転軸（図示しない）が形成されている。また、収納ケース３１の外壁３２の下方部分には、装着機構３３（上側）と巻取機構（下側）３４とが離間部３５を隔てて配設されている。更に、収納ケース３１の断面コ字形状の内部には、弾性を有するガイドプレート５が配設されていて、後述する研磨布４を搬送ベルト７２方向に付勢している。（尚、ガイドプレート５に弾性を付与する構成として、ガイドプレート５の内部に別体のスプリングを配設したり、収納ケース３１の外壁３２の内側とガイドプレート５の間にスプリングを配設したりしても良い。）
【００２９】
ガイドプレート５は、弾性材で形成され、前述した収納ケース３１のコ字形状内部に任意な取り付け方法で配設されている。尚、弾性材に代えて、収納ケース３１とガイドプレート５との間にスプリング等の弾性部材を介したり、それらを併用したりしても良い。要は、パチンコ玉Ｐを研磨布４とパチンコ玉搬送手段７（搬送ベルト７２）との間で圧接挟持し、揚送することができる構成であれば良い。
【００３０】
このガイドプレート５は、パチンコ玉搬送手段７に対向する面に溝断面が半円形状のガイド溝５３（尚、ガイド溝５３とガイド溝５３の間を山部分５３ａと称する。）を複数縦設するとともに、収納ケース３１の外壁３２に配設されている装着機構３３と巻取機構３４との離間部３５と相対する位置近傍で、上部ガイドプレート５１と下部ガイドプレート５２とに上下に分離分割され、その分離分割部分にベルト払拭機構６の押圧部材６１を配置させている。パチンコ玉Ｐは、搬送ベルト７２の周回に伴って、ガイド溝５３内に研磨布４を圧入するようにして、ガイド溝５３内を転がりながら上方へ移動されるが、その過程で研磨布４によりその表面が払拭、研磨される（汚れが払拭される）。尚、ガイドプレート５の分割数は、パチンコ玉研磨揚送装置１００の高さによって、任意に設定できるが、少なくとも、離間部３５と相対する位置近傍で上部ガイドプレート５１と下部ガイドプレート５２とに上下に分離分割して、ベルト払拭機構６の押圧部材６１を配置するための空間を形成することは、ベルト払拭機構６を配設する関係で必要である。そして、これらの上部ガイドプレート５１と押圧部材６１の上流端６１ａと間には、離間間隔α１が、また、下部ガイドプレート５２と押圧部材６１の下流端６１ｂと間には、離間間隔α２が形成されている。また、収納ケース３１の側壁３１ａとガイドプレート５との間にも、後述する押圧部材６１の回転を許容する間隔α３が設けられている。
【００３１】
ベルト払拭機構６は、押圧部材６１とその押圧部材６１を操作する操作部材６２とから構成されている。
【００３２】
押圧部材６１は、前述したガイドプレート５を上部ガイドプレート５１と下部ガイドプレート５２に分離分割する際に、その一部を切り取って形成しているが、別部品として形成しても良い。そして、この押圧部材６１は、上部ガイドプレート５１と下部ガイドプレート５２との間の切り取った部分の跡に画成された空間に配設されている。従って、この押圧部材６１の前端面（搬送ベルト７２側）にも、ガイド溝５３と同様な溝６１ｃ（本実施例では、ガイドプレート５の分離分割前のガイド溝５３の一部）が縦設されている。そして、押圧部材６１の前端面に縦設されている溝６１ｃと溝６１ｃの間には、ガイドプレート５の山部分５３ａと対応する山部分６１ｄ（この山部分の上面が押圧面となる。）が形成されている。一方、この押圧部材６１の背面には、操作部材６２が取り付けられ、操作部材６２の押し出し操作により、押圧部材６１は一定角度回転された後に搬送ベルト７２方向に前進させられる。
【００３３】
操作部材６２は、収納ケース３１の外壁３２に配設された装着機構３３と巻取機構３４との離間部３５の略中央部に突設されたシリンダー６３と、該シリンダー６３に遊嵌されたピストン６４と、シリンダー６３とピストン６４との間に巻装されたスプリング６６とを備えている。そして、該シリンダー６３の外周には、図５に示すように、回転ガイド部６５ａと直線ガイド部６５ｂを形成した逆への字形状のスライド溝６５がピストン６４の押し出し操作方向に長く形成されている。一方、ピストン６４には、シリンダー６３に遊嵌される軸部６４ａと該軸部６４ａの後端部に形成されたノブ６４ｂとが形成され、先端が押圧部材６１の背面に取り付けられている。このピストン６４は、該軸部６４ａにスプリング６６を巻装した状態でシリンダー６３から収納ケース３１内に挿入され、先端を押圧部材６１の背面に螺合、圧入等任意の方法によって取り付ける。このとき、スプリング６６は、シリンダー６３とノブ６４ｂの間に縮設される。この状態でガイド溝６５からガイドピン６７を挿入して該軸部６４ａに嵌め込み、ピストン６４への押圧状態を解除すると、ピストン６４は、ガイドピン６７が回転ガイド部６５ａに至るまで戻ってシリンダー６３内に取り付け、保持される。
【００３４】
パチンコ玉搬送手段７は、パチンコ玉払拭手段３の収納ケース３１と同様に、収納ケース３１側を開放した断面コ字形状（図２参照）の縦長形状を成している搬送ベルト７２の搬送ケース７１と、この搬送ケース７１の下部に配設された搬送ベルト７２の駆動機構７３と、該駆動機構７３から外側方向（パチンコ玉払拭手段３に対して反対側）に延びた導入樋７４が形成されている。この、導入樋７４は、玉貯留タンク（図示省略）から玉磨き前のパチンコ玉Ｐを取り込むためのもので、その内部には、取り込んだパチンコ玉Ｐを整列させる整流路７４ａが形成されている。更に、搬送ケース７１の上部には、玉磨き後のパチンコ玉Ｐを排出するための上部ダクト７５が形成されている。そして、前述の断面コ字形状の内部には、駆動機構７３と搬送ケース７１の上部に設けられた回転軸７６との間に周回可能に張架された搬送ベルト７２が収納されている。
【００３５】
また、搬送ケース７１の下部に設けられた駆動機構７３から外側方向（パチンコ玉払拭手段３に対して反対側）に延びている導入樋７４の下側には、導入樋７４に取り込まれるパチンコ玉Ｐの流れを制御するシャッター８が配設されている。
【００３６】
このシャッター８は、ベース８１と、このベース８１の両側でパチンコ玉Ｐの流入側端部に立設された支持プレート８２と、この支持プレート８２の間に架設された支軸８３と、この支軸８３に上下に揺動可能に軸止されたシャッタープレート８４と、このシャッタープレート８４を上下に揺動させるソレノイド８５とで構成されている。そして、該シャッタープレート８４の上面には、先端に係止爪８６を有する複数の係止プレート８７が間隔をおいて縦設されている。このシャッタープレート８４の上面に立設された複数の係止プレート８７は、前述した導入樋７４の底壁に形成されたパチンコ玉Ｐの流れを整える整流路７４ａの底に穿設された溝孔（図示しない）と対応するようにして形成されている。即ち、ソレノイド８５を作動させ、支軸８３を中心としてシャッタープレート８４を上方に揺動させると、係止プレート８７の先端に形成した係止爪８６が前述の溝孔（図示しない）から整流路７４ａ内に突出してパチンコ玉Ｐの流れを堰き止める。
【００３７】
一方、研磨布４は、収納ケース３１の外壁３２に配設された装着機構３３にロール状態で装着され、その自由端を収納ケース３１の上端に形成された反転軸（図示しない）に巻架した後に、収納ケース３１の断面コ字形状内部に配設されているガイドプレート５と押圧部材６１の前面に接触しながら下方に引っ張られ、収納ケース３１の下端に形成された反転軸（図示しない）に巻架され、収納ケース３１の外壁３２側に引き出され、巻取機構３４に巻き取られる。この巻き取られた研磨布４は、モータ３４ａを回転させることによって、順次巻取機構３４に巻き取られていく。尚、３６は、研磨布４のたるみを防止するサポート部材である。
【００３８】
次に、本発明のベルト払拭機構６について詳述する。前述したように、ベルト払拭機構６の押圧部材６１の前端面には、溝６１ｃが縦設されている。このため、先に出願人が提案したように、単に、押圧部材６１で研磨布４をパチンコ玉搬送手段７に押圧しただけでは、搬送ベルト７２のパチンコ玉Ｐの接触面には、溝６１ｃの部分が接触しないので、その部分が拭き残しとなることは自明である。そして、この溝６１ｃ部分が原因で発生する拭き残しを解消する簡単な方法は、押圧部材６１を９０°回転させて搬送ベルト７２のパチンコ玉Ｐの接触面に押圧すれば、溝６１ｃと溝６１ｃの間に形成されている山部分６１ｄが接触面に押圧され、搬送ベルト７２の表面を払拭することができるが、その回転を許容するためには、押圧部材６１の下流端６１ａと上部ガイドプレート５１との間ならびに上流端６１ｂと下部ガイドプレート５２との間の離間間隔α１、α２が、パチンコ玉Ｐの径である１１ｍｍ以上必要とされる。このため、その離間間隔α１、α２にパチンコ玉Ｐが嵌り込んで揚送されない恐れが生じる。
【００３９】
そこで、出願人は、通常状態で、パチンコ玉Ｐの揚送がスムースに行なわれ、押圧部材６１を搬送ベルト７２のパチンコ玉Ｐの接触面に押圧した状態でも、搬送ベルト７２に拭き残しが残らない程度に、押圧部材６１を一定角度回転でき、かつパチンコ玉Ｐが嵌り込まない程度に押圧部材６１の上流端６１ａと上部ガイドプレート５１との間の離間間隔α１ならびに、下流端６１ｂと下部ガイドプレート５２との間の離間間隔α２を設定したパチンコ玉研磨揚送装置１００を提供するものである。
【００４０】
以下、ベルト払拭機構６の操作原理について、図４を参照して説明する。
押圧部材６１は、上部ガイドプレート５１と下部ガイドプレート５２との間に画成された空間に配設されている。また、押圧部材６１の下流端６１ａと上部ガイドプレート５１との間には、離間間隔α１が形成されている。また、押圧部材６１の上流端６１ｂと下部ガイドプレート５２との間には、離間間隔α２が形成されている。そして、パチンコ玉Ｐを揚送している状態（以下、通常状態と言う）では、押圧部材６１に形成された溝６１ｃと上部ガイドプレート５１ならびに下部ガイドプレート５２とに形成されたガイド溝５３とは、非連続的に近接している。従って、揚送されたパチンコ玉Ｐは、それらの離間間隔α１ならびに離間間隔α２を通過してパチンコ玉研磨揚送装置１００の下位から上位へ揚送される。
【００４１】
ここで、上記した押圧部材６１の下流端６１ａと上部ガイドプレート５１との間の離間間隔α１ならびに上流端６１ｂと下部ガイドプレート５２との間の離間間隔α２を、概ね、次のようにして決定する。まず、一般にパチンコ玉Ｐの直径は、１１ｍｍと決められている。また、この離間間隔α１、離間間隔α２の部分は、ガイドプレート５等でサポートされていない。従って、この間が１１ｍｍ以上あると、その離間間隔α１、離間間隔α２の間にパチンコ玉Ｐが嵌り込んで揚送されない恐れが生じる。（実際には、パチンコ玉Ｐと押圧部材６１と上部ガイドプレート５１ならびに下部ガイドプレート５２との間には、研磨布４が介在しているので必ずしも揚送されないとは限らないが好ましい状態とは言えない。）このため、離間間隔α１、離間間隔α２を１１ｍｍ以下に設定する必要がある。
【００４２】
以下、図４を参照して、離間間隔α１、離間間隔α２を求める方法について説明する。原則的には、離間間隔α１と離間間隔α２の間隔は、同一間隔であるが、設定間隔範囲内であれば異なった間隔に設定しても良い。
【００４３】
まず、出願人は、各要件を
パチンコ玉Ｐの径１１ｍｍ
押圧部材６１の長さ  ６０ｍｍ
押圧部材６１の幅  １００ｍｍ
押圧部材６１の溝６１ｃの幅  １２ｍｍ
山部分６１ｄの幅  ２ｍｍ、
ガイド溝５３の幅  １２ｍｍ、 
離間間隔α１、α２をパチンコ玉Ｐの径１１ｍｍより小とする。
と仮定して作図上で算出した。ここで、押圧部材６１とガイドプレート５の間隔をパチンコ玉Ｐの径１１ｍｍより小さい間隔としたので、通常状態で、パチンコ玉Ｐが、離間間隔α１、α２の間に嵌り込んでしまう恐れはない。
【００４４】
まず、押圧部材６１の下流端６１ａと上部ガイドプレート５１との間の離間間隔α１ならびに上流端６１ｂと下部ガイドプレート５２との間の離間間隔α２を４ｍｍ（パチンコ玉Ｐの径１１ｍｍより小との条件を満足する）と仮設定して、押圧部材６１を、該押圧部材６１の中心Ｏを中心として、角度β１回転させた。（実線の軌跡６β１）その結果、β１が約５°に成ったときに、押圧部材６１の上流端６１ａが上部ガイドプレート５１に当接した。この状態における押圧部材６１の山部分６１ｄ（斜線で表示した部分）と押圧部材６１の溝６１ｃ（尚、便宜上、通常状態における押圧部材６１の溝６１ｃ部分を搬送ベルト７２上の拭き残し部分と仮定した。）の関係をみると、隣接する山部分６１ｄの、一方の山部分６１ｄの下流端６１ａと、他方の山部分６１ｄの上流端６１ｂとの間に間隔ｄ１が生じる。即ち、この間隔ｄ１の部分には、山部分６１ｄが全く当たらない。従って、この部分が押圧部材６１の溝６１ｃ、即ち、ガイド溝５３部分を山部分６１ｄで遮断することができないで拭き残しとなる。
【００４５】
次に、押圧部材６１を、押圧部材６１の中心Ｏを中心として、角度β２回転させた。（破線の軌跡６β２）この回転角度β２は、一方の山部分６１ｄ（網目で表示した部分）の下流端６１ａと他方の山部分６１ｄの上流端６１ｂとが僅かに重なるまで間隔ｄ２（重なっている部分）が生じるまで回転させたものである。（従って、押圧部材６１の溝６１ｃ、即ち、ガイド溝５３部分を山部分６１ｄが遮断して拭き残しが生じない）このときの回転角度β２は、約１１度であった。この状態で、押圧部材６１の上流端６１ａと上部ガイドプレート５１との間の離間間隔α１１を測定すると約９ｍｍであり、パチンコ玉Ｐの径１１ｍｍより小と言う条件も満足していた。
【００４６】
更に、押圧部材６１の回転誤差によって拭き残しが生ずるのを回避するために、押圧部材６１を、押圧部材６１の中心Ｏを中心として、角度β３回転させた。（一点鎖線の軌跡６β３）この回転角度β３は、一方の山部分６１ｄ（塗りつぶしで表示した部分）の下流端６１ａと他方の山部分６１ｄの上流端６１ｂとが十分重なるまで間隔ｄ３（重なっている部分）が生じるまで回転させたものである。（従って、押圧部材６１の溝６１ｃ、即ち、ガイド溝５３部分を山部分６１ｄが遮断して拭き残しが生じない）このときの回転角度β３は、約１２度であった。この状態で、押圧部材６１の上流端６１ａと上部ガイドプレート５１との間の離間間隔α１２を測定すると約１０ｍｍであり、パチンコ玉Ｐの径１１ｍｍより小と言う条件も満足していた。
【００４７】
これらのことから、押圧部材６１の回転角度を小さくすれば押圧部材６１とガイドプレート５の離間間隔α１、α２も狭くなることが判る。しかしながら、単に回転角度を小さくした場合には、拭き残し部分が生じてくることも確かである。
【００４８】
そこで、出願人は、押圧部材６１の回転角度を小さくし、しかも拭き残し部分を生じさせることがない方法について検討した結果、押圧部材６１の長さ（上下方向＝高さ）を長くすれば、小さな回転角度で、押圧部材６１の溝６１ｃによる拭き残しを回避できることを見出した。そして、回転角度を小さくしたことによって、離間間隔α１、α２をより狭くすることができ、パチンコ玉Ｐが離間間隔α１、α２間に落ち込むことなく揚送もよりスムースに行なわれる。
【００４９】
この押圧部材６１の長さは、パチンコ玉研磨揚送装置１００の高さ、大きさ、収納ケース３１の外壁３２に配設された装着機構３３と巻取機構３４の離間部の間隔等から決定されるので、一概に決め付けられないが、押圧部材６１とガイドプレート５の離間間隔α１、α２が、パチンコ玉Ｐの径１１より小さいことが条件で任意に設定することができる。
【００５０】
次に、パチンコ玉研磨揚送装置１００によるパチンコ玉Ｐの研磨揚送方法について概略説明する。パチンコ島の下部に配設されている玉貯留タンク（図示省略）から導入樋７４に流入された玉磨き前のパチンコ玉Ｐは、揚送塔２に配設されたパチンコ玉払拭手段３の研磨布４とパチンコ玉搬送手段７の搬送ベルト７２の間に取り込まれ、搬送ベルト７２の周回に伴って上部ダクト７５方向に揚送される。このとき、研磨布４は、回転せず、張設状態に維持されている。パチンコ玉Ｐは、搬送ベルト７２の周回に伴って研磨布４の表面を転がりながらガイド溝５３をガイドとして順次、上部ダクト７５方向に研磨されながら揚送される。
【００５１】
表面が汚れた研磨布４は、閉店時など導入樋７４からパチンコ玉Ｐが流入していない状態のときに、巻取機構３４によって、一定長さ（汚れた部分が搬送ベルト７２の前面から除かれる長さ）巻き取られる。そして、開店時、パチンコ玉研磨揚送装置１００は、運転開始される。
【００５２】
次に、パチンコ玉払拭手段のベルト払拭機構６の実施方法について説明する。一般的に、パチンコ玉研磨揚送装置１００によるパチンコ玉Ｐの研磨（汚れの払拭）は、搬送ベルト７２を周回させてパチンコ玉Ｐを揚送する時（このとき、研磨布４は周回していない）に行われるが、その際に研磨布４に付着した汚れは、閉店後、パチンコ玉研磨揚送装置１００を停止させた後に、モータ３４ａによって巻取機構３４を駆動させて、研磨布４を上方に移動し、汚れの付着していない未使用の払拭面を搬送ベルト７２に対向させる。ベルト払拭機構６の使用は、この研磨布４の払拭面の入れ替え時（使用後の汚れた払拭面から未使用の払拭面への移動を言う）の直前に実施される。
【００５３】
まず、閉店時にパチンコ玉研磨揚送装置１００を停止させる。このとき、一般的には、パチンコ玉研磨揚送装置１００を停止する前に、パチンコ島側でパチンコ玉Ｐの搬送を停止したり、導入樋７４のシャッター７６を用いたりして、研磨揚送装置１００の内部にパチンコ玉Ｐが取り込まれないようにした後に、搬送ベルト７２を数回周回させ、研磨布４と搬送ベルト７２との間に挟持されているパチンコ玉Ｐを吐出し、揚送塔２の内部にパチンコ玉Ｐが存在しないようにしてある。そして、研磨布４の払拭面の入れ替えを実施する直前に、ベルト払拭機構６の操作部材６２を押し出し操作する。即ち、ノブ６４ｂを押して、ピストン６４を搬送ベルト７２方向に押し出す。（図３矢印ａ参照）このピストン６４の押し出しによって、軸部６４ａに嵌め込まれているガイドピン６７がシリンダー６３の外周に形成されたスライド溝６５内を移動する。まず、ピストン６４は、ガイドピン６７が、回転ガイド部６５ａに沿って移動することによって、一定角度回転（図３矢印ｂ参照）しながら若干前方に押し出される。次に、ピストン６４は、ガイドピン６７が回転ガイド部６５ａと直線ガイド部６５ｂの接続部に達した後に、直線ガイド部６５ｂに沿って直線的に移動するのに伴って、前方（搬送ベルト７２方向）に直進する。そして、ピストン６４の先端に取り付けられている押圧部材６１を研磨布４に接触させる。このとき、押圧部材６１は、一定角度回転した姿勢を維持した状態で研磨布４に接触し、そして、更に、前方へ押し出され、研磨布４を搬送ベルト７２のパチンコ玉接触面に押圧させる。
【００５４】
図６は、操作部材６２の他の実施例を示したものである。この例では、シリンダー６３の外周に、進行方向に下り傾斜した傾斜ガイド溝６８が形成されている。従って、操作部材６２は、傾斜ガイド溝６８のノブ６４ｂ側端部から進行方向端部に至る範囲で一定角度回転する。このため、押圧部材６１は、研磨布４に接触した後も若干回転して、研磨布４を搬送ベルト７２のパチンコ玉接触面に押圧させるが、その回転角度は、研磨布４に接触するまでの押圧部材６１の押し出しストロークに対して、研磨布４に接触した後に、搬送ベルト７２に達するまでの押し出しストロークが短い（パチンコ玉Ｐの径）ので、研磨布４に接触する前に回転する角度に比較して小さく研磨布４を捻るようなことは少ない。
【００５５】
このように、研磨布４を搬送ベルト７２に圧接させた状態でパチンコ玉研磨揚送装置１００を稼動させて、搬送ベルト７２を周回させる。尚、この周回時には、パチンコ玉Ｐは、導入樋７４からパチンコ玉研磨揚送装置１００に取り込まれない。この搬送ベルト７２の周回により、搬送ベルト７２のパチンコ玉搬送面に付着している汚れは、研磨布４によって払拭される。そして、この搬送ベルト７２の周回が完了した後、研磨布４を巻き取り、研磨布４の払拭面の入れ替えを実施する。このような作業により、次に、パチンコ玉研磨揚送装置１００を稼動させるときには、研磨布４の払拭面も搬送ベルト７２のパチンコ玉搬送面も汚れの無い状態でパチンコ玉Ｐを揚送研磨することができ、研磨効率を向上させることができる。
【００５６】
尚、ベルト払拭機構６を使用する直前に、研磨布４をわずかに巻き取り、未使用な払拭面を引き出し、その部分を搬送ベルト７２に圧接させて、搬送ベルト７２の周回を行なえば、更に、搬送ベルト７２の払拭効率を向上させることができる。また、ガイドプレート５は、実施例では、２分割した構成であるが、とくに、２分割に限定されるものではない。また、押圧部材６１の設置場所も必ずしも分割したガイドプレートの間だけでなく分割しないガイドプレートの端であっても良い。
【図面の簡単な説明】
【００５７】
【図１】本発明のパチンコ玉研磨搬送装置であるパチンコ玉研磨揚送装置を示した概略斜視図である。
【図２】図１の要部斜視図である。
【図３】ベルト払拭機構を示した斜視図である。
【図４】押圧部材の回転範囲を示した説明図である。
【図５】ベルト払拭機構のシリンダーを示した斜視図である。
【図６】シリンダーの他の実施例を示した斜視図である。
【符号の説明】
【００５８】
１００  パチンコ玉研磨揚送装置（パチンコ玉研磨搬送装置）
１  ベースプレート
２  揚送塔
３  パチンコ玉払拭手段
３１  収納ケース
３１ａ  側壁
３２  （収納ケースの）外壁
３３  装着機構
３４  巻取機構
３４ａ  モータ
３５  離間部
３６  サポート部材
４  研磨布
５  ガイドプレート
５１  上部ガイドプレート
５２  下部ガイドプレート
５３  ガイド溝
５３ａ  山部分
６  ベルト払拭機構
６１  押圧部材
６１ａ  上流端
６１ｂ  下流端
６１ｃ  溝
６１ｄ  山部分
６２  操作部材
６３  シリンダー
６４  ピストン
６４ａ  軸部
６４ｂ  ノブ
６５  スライド溝
６５ａ  回転ガイド部
６５ｂ  直線ガイド部
６６  スプリング
６７  ガイドピン
６８  傾斜ガイド溝
７  パチンコ玉搬送手段
７１  搬送ケース
７２  搬送ベルト
７３  駆動機構
７４  導入樋
７４ａ  整流路
７５  上部ダクト
７６  回転軸
８  シャッター
８１  ベース
８２  支持プレート
８３  支軸
８４  シャッタープレート
８５  ソレノイド
８６  係止爪
８７  係止プレート
Ｐ  パチンコ玉
α１、α１１、α１２、α２  離間間隔
α３  （収納ケースとガイドプレートとの）隙間
β（β１、β２、β３）  回転角度（押圧部材）
６β１  実線の軌跡
６β２  破線の軌跡
６β３  一点鎖線の軌跡
ｄ１、ｄ２、ｄ３  山部分の重複範囲
【図１】
0005198901.tif 000002
【図２】
0005198901.tif 000003
【図３】
0005198901.tif 000004
【図４】
0005198901.tif 000005
【図５】
0005198901.tif 000006
【図６】
0005198901.tif 000007